(57)【要約】【課題】  気密性を向上すると共にネジ締めによる前板等の変形が生じることがない時計の裏蓋取付構造を提供することにある。【解決手段】  本発明の時計の裏蓋取付構造における中板４と裏蓋３の嵌合部１０は、ムーブメント２を囲う中板４と裏蓋３の外周に設けられる凹部１４と凸部１５からなる。この凹部１４と凸部１５を嵌合させ、裏蓋３を前板１にネジ５で締めて取り付けることにより、凸部１５は弾性変形してつぶれる。これにより、中板４と裏蓋３の嵌合部１０は密着嵌合し、気密性を高めることができる。【選択図】  図４
2012237648.tif 000002
【特許請求の範囲】
【請求項１】
ムーブメントが取り付けられる前板と、
該前板に取り付けられる裏蓋と、
前記前板と裏蓋との間に挟持される中板と、
を備える時計であって、
前記中板と前記裏蓋は前記ムーブメントを囲う外周に設けられる嵌合部にて嵌合され、
該嵌合部は凹部と凸部からなり、前記前板に前記裏蓋を取り付けることにより、前記凸部が弾性変形してつぶれることで密着嵌合することを特徴とする時計の裏蓋取付構造。
【請求項２】
前記裏蓋と前記前板には、前記裏蓋を前記前板に取り付ける取付部が設けられ、該取付部を押圧して当接させることにより、前記凸部が弾性変形してつぶれることを特徴とする請求項１記載の時計の裏蓋取付構造。
【請求項３】
前記取付部は、前記嵌合部の凹部と凸部が当接するときに一定の隙間をもって対面し、ネジ締めすることにより当接することを特徴とする請求項２記載の時計の裏蓋取付構造。
【発明の詳細な説明】
【技術分野】
【０００１】
本発明は、裏蓋と前板の間に中板を挟み込みながら裏蓋を前板に取り付ける時計における気密性を向上させた裏蓋取付構造に関する。
【背景技術】
【０００２】
従来、気密性の高い時計の裏蓋取付構造には、パッキンが用いられていた。例えば、時計機械体を内包する外枠部に裏蓋を螺着し、外枠部と裏蓋との間に配置したリング状の防水パッキンを締め付けることで密閉するものがあった（例えば、特許文献１参照）。
【０００３】
また、本体ケースに裏蓋部材を圧入すると共にこの裏蓋部材に芳香材料ケースを螺着し、本体ケースと裏蓋部材との間、裏蓋部材と芳香材料ケースとの間にそれぞれ封止部材を配置することで防水機能を持たせた時計もあった（例えば、特許文献２参照）。
【０００４】
上記従来の裏蓋取付構造では、外枠部等のケースと裏蓋との間の隙間をパッキンで封止することで高い気密性を確保していた。
【０００５】
そこで、上記のような従来の構造を、図９乃至図１１に示すような時計に適用すると以下に示すような構造となる。即ち、ムーブメント２が取り付けられた前板１と裏蓋３との間に中板４を挟み込み、裏蓋３をネジ５で前板１に取り付け、更に、風防ガラス６とバックケース７をそれぞれ前板１と裏蓋３に螺着した時計では、風防ガラス６と中板４との間、バックケース７と中板４との間にそれぞれパッキン８，９を配置することになる。
【０００６】
しかし、この時計の場合、より確実な気密性を得るには、ムーブメント２が収められている前板１と裏蓋３との間も密閉することが必要になる。そこで、中板４と裏蓋３との間にもパッキンを配置すると、部品点数が多くなり、コストが増すという問題があった。このため、できる限り中板４と裏蓋３の外周にある嵌合部１０の隙間Ａがなくなるように取り付けることで対処せざるを得ない。この隙間Ａをなくすには、裏蓋３を前板１にネジ５で取り付ける取付部１１の隙間Ｂを、裏蓋３と前板１の寸法精度誤差を考慮してＢ＞Ａとなるように設定することが必要になる。このように設定すれば取付部１１をネジ５で締めると、嵌合部１０の隙間Ａをなくすことが可能となる。
【０００７】
ところが、Ｂ＞Ａとなるように隙間Ｂを設定すると、嵌合部１０が当接して隙間Ａが零となったときに、隙間ＢはＢ−Ａの値だけ隙間があくことになり、隙間Ｂもなくなるようにネジ５で締め付けてしまうと、Ｂ−Ａの隙間分だけ裏蓋３又は前板１がそって変形することになる。裏蓋３と前板１の強度差にもよるが、一般に、裏蓋３より強度が低い前板１が変形し、前板１に取り付けられているムーブメント２も変形することになる。このようにムーブメント２が変形すると、その地板等にそりが生じ、歯車の軸方向のあがきが押さえられて停止するという問題が生じるものであった。
【先行技術文献】
【特許文献】
【０００８】
【特許文献１】特開平９−２３００６２号公報
【特許文献２】特開２０１０−２５６１０５号公報
【発明の概要】
【発明が解決しようとする課題】
【０００９】
本発明が解決しようとする課題は、上記従来技術の問題点を解決し、気密性を向上すると共にネジ締めによる前板等の変形が生じることがない時計の裏蓋取付構造を提供することにある。
【課題を解決するための手段】
【００１０】
本発明の時計の裏蓋取付構造は、ムーブメントが取り付けられる前板と、該前板に取り付けられる裏蓋と、前記前板と裏蓋との間に挟持される中板と、を備える時計であって、前記中板と前記裏蓋は前記ムーブメントを囲う外周に設けられる嵌合部にて嵌合され、該嵌合部は凹部と凸部からなり、前記前板に前記裏蓋を取り付けることにより、前記凸部が弾性変形してつぶれることで密着嵌合するものである。この時計の裏蓋取付構造における前記裏蓋と前記前板には、前記裏蓋を前記前板に取り付ける取付部が設けられ、該取付部を押圧して当接させることにより、前記凸部が弾性変形してつぶれる。また、前記取付部は、前記嵌合部の凹部と凸部が当接するときに一定の隙間をもって対面し、ネジ締めすることにより当接する。
【発明の効果】
【００１１】
本発明の時計の裏蓋取付構造では、中板と裏蓋の嵌合部を凹部と凸部で構成し、裏蓋を前板に取り付けることで凸部の先端が弾性変形してつぶれて凹部内に密着するものとなっている。これにより、中板と裏蓋の嵌合部の隙間がなくなり、気密性を向上させ、ホコリ、湿気等が入ることを防ぐと共にムーブメントの動作音の漏出も低減させることができる。
【００１２】
また、嵌合部の凸部が弾性変形することにより、裏蓋を前板に取り付ける取付部のネジ締めによる負荷を吸収し、前板や裏蓋等にネジ締めによる負荷が加わってそり等の変形が生じることを防ぎ、それによりムーブメントの止まり不良も防ぐことができる。
【図面の簡単な説明】
【００１３】
【図１】本発明の一実施例に係る時計の裏蓋取付構造を示す時計の正面図である。
【図２】図１に示す時計の背面図である。
【図３】図１に示す時計の要部断面図である。
【図４】図３に示す嵌合部及び取付部の拡大図である。
【図５】図４に示す嵌合部の拡大図である。
【図６】図３に示す取付部を完全にネジ締めする前の状態を示す要部断面図である。
【図７】図６に示す嵌合部及び取付部の拡大図である。
【図８】図７に示す嵌合部の拡大図である。
【図９】裏蓋と前板の間に中板を挟み込みながら裏蓋を前板に取り付ける時計の裏蓋構造に、パッキンのみで気密性を確保する構造を適用した例を示す要部断面図である。
【図１０】図９に示す嵌合部及び取付部の拡大図である。
【図１１】図１０に示す嵌合部の拡大図である。
【発明を実施するための形態】
【００１４】
本発明の時計の裏蓋取付構造における中板と裏蓋の嵌合部は、ムーブメントを囲う外周に設けられる凹部と凸部からなる。この凹部と凸部を嵌合させ、裏蓋を前板にネジ締めで取り付けることにより、凸部は弾性変形してつぶれる。これにより、中板と裏蓋の嵌合部は密着嵌合し、気密性を高めることができる。
【実施例】
【００１５】
図１は本発明の一実施例に係る時計の正面図、図２はその背面図、図３はその要部断面図、図４は嵌合部及び取付部の拡大図、図５は嵌合部の拡大図である。本実施例における時計は、ムーブメント２が取り付けられた前板１と裏蓋３との間に中板４を挟み込み、裏蓋３をネジ５で前板１に取り付け、更に風防ガラス６とバックケース７をそれぞれ前板１と裏蓋３に螺着したものとなっている。
【００１６】
前板１は、その前面に文字板１２が取り付けられ、その文字板１２を囲うリング状に前方へ突出し且つ外周にネジ山１aが形成されたネジ部１ｂを有している。また、ムーブメント２は、ネジ１３により前板１の裏面側に取り付けられている。
【００１７】
裏蓋３は、断面が略コの字形状をなす略カップ状をなし、外周にネジ山３aが形成された周壁からなるネジ部３ｂを有している。この裏蓋３は、前板１に設けられた柱状のネジ取付部１ｃに、孔を有するネジ取付部３ｃを介してネジ５を螺合することにより、前板１に取り付けられている。尚、本実施例における取付部１１は、このネジ取付部１ｃ、３ｃにより構成されている。
【００１８】
中板４は、概ねリング状あるいは枠状をなすものであり、前板１と裏蓋３の外周部分により挟持されている。
【００１９】
本実施例では、中板４と裏蓋３が嵌合する外周部分に嵌合部１０を設けている。この嵌合部１０は、内面が略半球状の凹曲面からなる凹部１４と、先端が略半球状の曲面からなる凸部１５により構成されている。本実施例における凹部１４は中板４側の外周部全周にリング溝状に設けられ、凸部１５は裏蓋３側の外周部全周にリブ状に設けられている。
【００２０】
風防ガラス６とバックケース７は、それぞれ前板１のネジ部１ｂと裏蓋３のネジ部３ｂに螺着され、前後から前板１、中板４及び裏蓋３を覆うものとなっている。
【００２１】
次に、裏蓋３の取付時の状態を図６乃至図８に基づいて説明する。はじめに、裏蓋３は、その外周部にある凸部１５を対面する中板４の凹部１４に嵌めることで位置決めされる。このときに、凸部１５の先端は凹部１４の内面に当接した状態となっており、つぶれてはいない。この状態のときに、ネジ５をネジ取付部３ｃの孔を通して前板１のネジ取付部１ｃに螺合することで、前板１に裏蓋３を取り付ける。その際に、ネジ５を締め付けると、凸部１５の先端が凹部１４の内面に押し付けられ、凸部１５の先端が弾性変形してつぶれる。これにより、凸部１５と凹部１４からなる嵌合部１０の隙間はなくなり、高い気密性を確保することができる。
【００２２】
本実施例においては、凸部１５の先端が弾性変形によりつぶれる状態を適正な状態に設定するため、ネジ取付部１ｃ、３ｃが突き当たって取付部１１の隙間Ｂが零になるときに、凸部１５の先端が適度につぶれるように設定している。また、前板１に設けた突出部１ｄとこれに対面する裏蓋３の外周部内面の段部３ｄとの隙間Ｃが零になるときに、凸部１５の先端が適度につぶれるように設定しても良い。
【００２３】
また、凸部１５の先端が弾性変形することにより、ネジ５により締め付けた力が凸部１５のつぶれで逃げて、その力が裏蓋３や前板１に必要以上に作用して前板１の変形を招くことを防いでいる。従って、寸法精度誤差を考慮して取付部１１の隙間Ｂを多く設定してネジ締めし過ぎたとしても、凸部１５の先端がつぶれることで過度な負荷が裏蓋３や前板１に加わることを防ぐことができる。本実施例においては、取付部１１の隙間Ｂが零になって当接するまでネジ５を締めると、嵌合部１０が最適な状態で密着嵌合するので、過度な負荷が前板１や裏蓋３に加わることはない。
【００２４】
尚、凸部１５が弾性変形することが必要であるため、この凸部１５を設ける裏蓋３又は中板４を、プラスチック等の弾性変形可能な材料で形成することが好ましい。
【００２５】
また、凸部１５の先端が塑性変形してつぶれることで嵌合部１０を密着嵌合することも可能であるが、この場合には裏蓋３を外す毎に凸部１５を設けた裏蓋３を交換することが必要になる。
【００２６】
尚、本実施例においては、凸部１５を裏蓋３に設け、凹部１４を中板４に設けているが、凸部１５を中板４に設け、凹部１４を裏蓋３に設けるように変更しても良い。
【００２７】
また、本実施例においては、より高い気密性を確保するため、風防ガラス６と中板４との間、バックケース７と中板４との間に、それぞれリング状のパッキン８，９を配置している。このパッキン８，９を配置するため、中板４における風防ガラス６及びバックケース７の外周部分に対面する部分をさらって段部４ａ，４ｂを設けている。尚、このパッキン８，９（特に、パッキン９）は、この実施例における嵌合部１０を設けることで省略することが可能である。
【符号の説明】
【００２８】
１      前板
１a     ネジ山
１ｂ    ネジ部
１ｃ    ネジ取付部
１ｄ    突出部
２      ムーブメント
３      裏蓋
３a    ネジ山
３ｂ    ネジ部
３ｃ    ネジ取付部
３ｄ    段部
４      中板
４a、４ｂ  段部
５      ネジ
６      風防ガラス
７      バックケース
８，９  パッキン
１０    嵌合部
１１    取付部
１２    文字板
１３    ネジ
１４    凹部
１５    凸部
【図１】
2012237648.tif 000003
【図２】
2012237648.tif 000004
【図３】
2012237648.tif 000005
【図４】
2012237648.tif 000006
【図５】
2012237648.tif 000007
【図６】
2012237648.tif 000008
【図７】
2012237648.tif 000009
【図８】
2012237648.tif 000010
【図９】
2012237648.tif 000011
【図１０】
2012237648.tif 000012
【図１１】
2012237648.tif 000013